(57)【要約】【課題】  個人差のある見たい情報に個々に対応可能とし、観客側が発信者として参加可能な画像配信システムを提供する。【解決手段】  カメラ付き携帯電話機Ａ〜Ｎは接続している間、自端末のカメラからの画像をネットワーク１００を介してサーバ１に提供する。サーバ１は固定設置式カメラ２１，２２及びカメラ付き携帯電話機Ａ〜Ｎからの画像をカメラ付き携帯電話機Ａ〜Ｎからの要求に応じ、ネットワーク１００を介して配信する。カメラ付き携帯電話機Ａ〜Ｎは他の接続しているカメラ付き携帯電話機Ａ〜Ｎの画像や会場内に配設された多数の固定設置式カメラ２１，２２からの画像の中から選択し、利用者が見たい画像を表示する。【選択図】      図１                                                  
2005039564.tif 000002
【特許請求の範囲】
【請求項１】
予め配置された複数の固定カメラからの画像を携帯端末装置に配信するサーバ装置を含む画像配信システムであって、前記携帯端末装置が前記サーバ装置に接続された時に当該携帯端末装置に提供可能な画像の一覧情報を送信する送信手段と、前記画像の一覧情報に基づいた選択情報に応じて前記複数の固定カメラからの画像のうちのいずれかを前記携帯端末装置に配信する配信手段とを前記サーバ装置に有することを特徴とする画像配信システム。
【請求項２】
前記携帯端末装置の接続時に当該携帯端末装置の認証を行う認証手段を前記サーバ装置に含むことを特徴とする請求項１記載の画像配信システム。
【請求項３】
画像を撮像する撮像素子を前記携帯端末装置に含むことを特徴とする請求項１または請求項２記載の画像配信システム。
【請求項４】
前記画像の一覧情報は、前記撮像素子からの画像をも含むことを特徴とする請求項３記載の画像配信システム。
【請求項５】
前記携帯端末装置からの座席情報を基に前記撮像素子からの画像のグループ分けを行うことを特徴とする請求項３または請求項４記載の画像配信システム。
【請求項６】
前記撮像素子からの画像を前記サーバ装置にリアルタイムに送信する手段を前記携帯端末装置に含むことを特徴とする請求項３から請求項５のいずれか記載の画像配信システム。
【請求項７】
前記撮像素子からの画像を前記サーバ装置にパケットにて順次送信する手段を前記携帯端末装置に含むことを特徴とする請求項３から請求項５のいずれか記載の画像配信システム。
【請求項８】
前記携帯端末装置からの座席情報を基に前記画像配信のサービスの課金処理を行う手段を前記サーバ装置に含むことを特徴とする請求項１から請求項７のいずれか記載の画像配信システム。
【請求項９】
予め配置された複数の固定カメラからの画像を携帯端末装置に配信するサーバ装置であって、前記携帯端末装置が前記サーバ装置に接続された時に当該携帯端末装置に提供可能な画像の一覧情報を送信する送信手段と、前記画像の一覧情報に基づいた選択情報に応じて前記複数の固定カメラからの画像のうちのいずれかを前記携帯端末装置に配信する配信手段とを有することを特徴とするサーバ装置。
【請求項１０】
前記携帯端末装置の接続時に当該携帯端末装置の認証を行う認証手段を含むことを特徴とする請求項９記載のサーバ装置。
【請求項１１】
前記画像の一覧情報は、前記携帯端末装置に設けられた撮像素子からの画像をも含むことを特徴とする請求項９または請求項１０記載のサーバ装置。
【請求項１２】
前記携帯端末装置からの座席情報を基に前記画像のグループ分けを行うことを特徴とする請求項１１記載のサーバ装置。
【請求項１３】
前記撮像素子からの画像を前記サーバ装置にリアルタイムに送信する手段を前記携帯端末装置に含むことを特徴とする請求項１１または請求項１２記載のサーバ装置。
【請求項１４】
前記撮像素子からの画像を前記サーバ装置にパケットにて順次送信する手段を前記携帯端末装置に含むことを特徴とする請求項１１または請求項１２記載のサーバ装置。
【請求項１５】
前記携帯端末装置からの座席情報を基に前記画像配信のサービスの課金処理を行う手段を含むことを特徴とする請求項９から請求項１４のいずれか記載のサーバ装置。
【請求項１６】
予め配置された複数の固定カメラからの画像がサーバ装置から配信される携帯端末装置であって、前記サーバ装置に接続された時に当該サーバ装置から受信しかつ自端末に提供可能な画像の一覧情報に基づいた外部指示に応じて選択情報を前記サーバ装置に送信する手段と、前記選択情報に基づいて前記サーバ装置から配信される画像を表示する表示手段とを有することを特徴とする携帯端末装置。
【請求項１７】
画像を撮像する撮像素子を含むことを特徴とする請求項１６記載の携帯端末装置。
【請求項１８】
前記画像の一覧情報は、他の携帯端末装置に設けられた撮像素子からの画像をも含むことを特徴とする請求項１６または請求項１７記載の携帯端末装置。
【請求項１９】
前記撮像素子からの画像を前記サーバ装置にリアルタイムに送信する手段を含むことを特徴とする請求項１７または請求項１８記載の携帯端末装置。
【請求項２０】
前記撮像素子からの画像を前記サーバ装置にパケットにて順次送信する手段を含むことを特徴とする請求項１７または請求項１８記載の携帯端末装置。
【請求項２１】
予め配置された複数の固定カメラからの画像を携帯端末装置に配信するサーバ装置を含むシステムの画像配信方法であって、前記サーバ装置側に、前記携帯端末装置が前記サーバ装置に接続された時に当該携帯端末装置に提供可能な画像の一覧情報を送信するステップと、前記画像の一覧情報に基づいた選択情報に応じて前記複数の固定カメラからの画像のうちのいずれかを前記携帯端末装置に配信するステップとを有することを特徴とする画像配信方法。
【請求項２２】
前記サーバ装置側に、前記携帯端末装置の接続時に当該携帯端末装置の認証を行うステップを含むことを特徴とする請求項２１記載の画像配信方法。
【請求項２３】
前記携帯端末装置は、画像を撮像する撮像素子を含むことを特徴とする請求項２１または請求項２２記載の画像配信方法。
【請求項２４】
前記画像の一覧情報は、前記携帯端末装置に設けられた撮像素子からの画像をも含むことを特徴とする請求項２１から請求項２３のいずれか記載の画像配信方法。
【請求項２５】
前記携帯端末装置からの座席情報を基に前記撮像素子からの画像のグループ分けを行うことを特徴とする請求項２３または請求項２４記載の画像配信方法。
【請求項２６】
前記携帯端末装置側に、前記撮像素子からの画像を前記サーバ装置にリアルタイムに送信するステップを含むことを特徴とする請求項２３から請求項２５のいずれか記載の画像配信方法。
【請求項２７】
前記携帯端末装置側に、前記撮像素子からの画像を前記サーバ装置にパケットにて順次送信するステップを含むことを特徴とする請求項２３から請求項２５のいずれか記載の画像配信方法。
【請求項２８】
前記サーバ装置側に、前記携帯端末装置からの座席情報を基に前記画像配信のサービスの課金処理を行うステップを含むことを特徴とする請求項２１から請求項２７のいずれか記載の画像配信方法。
【発明の詳細な説明】
【技術分野】
【０００１】
本発明は画像配信システム、サーバ装置、携帯端末装置及びそれに用いる画像配信方法に関し、特にコンサート会場、競技場等において撮像された画像の配信方法に関する。
【背景技術】
【０００２】
従来、コンサート会場、競技場等において撮影される画像（例えば、動画像）は、会場内に設置された大型のテレビ装置に映し出して見たり、あるいはインタネットを介して各種情報端末に映し出して見たりすることができる。
【０００３】
一方、携帯電話機においては、テレビ機能を設けたものも提案されており、同じ会場内の映像を、会場に居ながらにして携帯電話機にて見ることができるよってなってきている（例えば、特許文献１参照）。
【０００４】
この場合には、会場内に設置された複数のカメラで撮影された映像を見ることができる。つまり、会場内に大型のテレビ装置が設置されていたとしても、大型のテレビ装置に映し出されている映像とは異なる映像を、携帯電話機を通して見ることができる。
【０００５】
上記の技術とは異なる画像の配信方法としては、複数のカメラで撮影された部分画像を合成して携帯電話機に配信することで、パノラマ画像を携帯電話機を通して見られるようにした方法もある（例えば、特許文献２参照）。
【０００６】
【特許文献１】特開２００２−２９０８４４号公報（第５，６頁、図１）
【特許文献２】特開２００３−３７８３１号公報（第２〜５頁、図１，２）
【発明の開示】
【発明が解決しようとする課題】
【０００７】
上述した従来の画像配信方法では、特定のカメラが特定のモニタに情報を流すのみであるため、個人差のある見たい情報に個々に対応することができないという問題がある。この場合、観客側はあくまで情報を一方的に受取るだけで、発信者として参加することはできない。
【０００８】
そこで、本発明の目的は上記の問題点を解消し、個人差のある見たい情報に個々に対応することができ、観客側が発信者として参加することができる画像配信システム、サーバ装置、携帯端末装置及びそれに用いる画像配信方法を提供することにある。
【課題を解決するための手段】
【０００９】
本発明による画像配信システムは、予め配置された複数の固定カメラからの画像を携帯端末装置に配信するサーバ装置を含む画像配信システムであって、前記携帯端末装置が前記サーバ装置に接続された時に当該携帯端末装置に提供可能な画像の一覧情報を送信する送信手段と、前記画像の一覧情報に基づいた選択情報に応じて前記複数の固定カメラからの画像のうちのいずれかを前記携帯端末装置に配信する配信手段とを前記サーバ装置に備えている。
【００１０】
本発明によるサーバ装置は、予め配置された複数の固定カメラからの画像を携帯端末装置に配信するサーバ装置であって、前記携帯端末装置が前記サーバ装置に接続された時に当該携帯端末装置に提供可能な画像の一覧情報を送信する送信手段と、前記画像の一覧情報に基づいた選択情報に応じて前記複数の固定カメラからの画像のうちのいずれかを前記携帯端末装置に配信する配信手段とを備えている。
【００１１】
本発明による携帯端末装置は、予め配置された複数の固定カメラからの画像がサーバ装置から配信される携帯端末装置であって、前記サーバ装置に接続された時に当該サーバ装置から受信しかつ自端末に提供可能な画像の一覧情報に基づいた外部指示に応じて選択情報を前記サーバ装置に送信する手段と、前記選択情報に基づいて前記サーバ装置から配信される画像を表示する表示手段とを備えている。
【００１２】
本発明による画像配信方法は、予め配置された複数の固定カメラからの画像を携帯端末装置に配信するサーバ装置を含むシステムの画像配信方法であって、前記サーバ装置側に、前記携帯端末装置が前記サーバ装置に接続された時に当該携帯端末装置に提供可能な画像の一覧情報を送信するステップと、前記画像の一覧情報に基づいた選択情報に応じて前記複数の固定カメラからの画像のうちのいずれかを前記携帯端末装置に配信するステップとを備えている。
【００１３】
すなわち、本発明の画像配信システムは、コンサート会場、競技場等の同じ会場内にいる不特定多数の人が持っている携帯電話機のカメラの画像をも選択表示可能とし、観客があらゆる角度からの画像が見られるようにするとともに、事業者のカメラの設定方法を簡易化するものである。特に、テレビ電話機能（例えば、第３世代携帯電話におけるテレビ会議方式等）を利用することによって、リアルタイムでの画像送受を可能としている。
【００１４】
また、本発明の画像配信システムは、上述した問題を解決するとともに、本発明の画像配信システムによるサービスの利用料金の徴収を電話回線オペレータ業者が代行可能としている。
【発明の効果】
【００１５】
本発明は、以下のような構成及び動作とすることで、個人差のある見たい情報に個々に対応することができ、観客側が発信者として参加することができるという効果が得られる。
【発明を実施するための最良の形態】
【００１６】
次に、本発明の実施の形態について図面を参照して説明する。図１は本発明の実施の形態による画像配信システムの構成を示すブロック図である。図１において、本発明の実施の形態による画像配信システムは固定設置式カメラ２１，２２が接続されたサーバ１と、カメラ付き携帯電話機Ａ〜Ｎとをネットワーク１００を介して接続して構成されている。
【００１７】
カメラ付き携帯電話機Ａ〜Ｎはそれぞれ撮像素子（図示せず）で撮影された画像をリアルタイムで送受信する機能（あるいは、パケットにて順次送受信する機能等）を備えている。固定設置式カメラ２１，２２は図示せぬ会場内に予め固定的に配置された固定カメラである。
【００１８】
サーバ１は固定設置式カメラ２１，２２及びカメラ付き携帯電話機Ａ〜Ｎからの画像を、カメラ付き携帯電話機Ａ〜Ｎからの要求に応じて配信する機能を備えている。尚、ネットワーク１００はカメラ付き携帯電話機Ａ〜Ｎが接続可能な携帯電話回線網である。
【００１９】
まず、利用者はカメラ付き携帯電話機Ａ〜Ｎを持って会場内に入場した場合、入場券に書いてある電話番号［またはＵＲＬ（Ｕｎｉｆｏｒｍ  Ｒｅｓｏｕｒｃｅ  Ｌｏｃａｔｏｒ）等のサーバ１を特定する情報］にカメラ付き携帯電話機Ａ〜Ｎで電話し、入場券に書いてある暗証番号を入力することで、固定設置式カメラ２１，２２及びカメラ付き携帯電話機Ａ〜Ｎからの画像を配信するサーバ１に接続することができる。
【００２０】
カメラ付き携帯電話機Ａ〜Ｎは接続している間、自端末のカメラ（撮像素子）からの画像をサーバ１に提供するとともに、他の接続しているカメラ付き携帯電話機Ａ〜Ｎの画像や会場内に配設された多数の固定設置式カメラ２１，２２からの画像の中から選択し、利用者が見たい画像をカメラ付き携帯電話機Ａ〜Ｎに表示させることができる。
【００２１】
この場合、本発明では、カメラ付き携帯電話機Ａ〜Ｎにおいて表示している画像を途中で切替えることも可能であり、カメラの付いていない携帯電話機（図示せず）に上述した画像を表示させることも可能である。また、本発明では、固定設置式カメラ２１，２２からの画像のみを配信することも可能である。
【００２２】
これによって、本発明では、コンサート会場や競技場等の会場内での撮影において死角をなくすことができ、会場内の一体感を高めることができる。よって、本発明は、個人差のある見たい情報に個々に対応することができ、観客側が発信者として参加することができる。
【実施例１】
【００２３】
図２は本発明の一実施例による携帯電話機の構成を示すブロック図である。本発明の一実施例による画像配信システムは、上述した図１の本発明の実施の形態による画像配信システムと同様の構成となっており、図２には図１のカメラ付き携帯電話機Ａの構成を示しているが、他のカメラ付き携帯電話機Ｂ〜Ｎの構成もカメラ付き携帯電話機Ａと同様の構成となっている。
【００２４】
図２において、カメラ付き携帯電話機ＡはアンテナＡ１と、無線制御部Ａ２と、制御部Ａ３と、記憶部Ａ４と、操作部Ａ５と、表示部Ａ６と、スピーカＡ７と、撮像素子（カメラ）Ａ８と、記録媒体Ａ９とから構成されている。
【００２５】
制御部Ａ３は記録媒体Ａ９に格納されたプログラムを実行することで、アンテナＡ１及び無線制御部Ａ２を介してリアルタイムに受信（あるいは、パケットにて順次受信）した画像（会場内の映像）や音を表示部Ａ６及びスピーカＡ７から出力するよう制御する。
【００２６】
また、制御部Ａ３は撮像素子Ａ８で撮影された画像（会場内の映像）をネットワーク１００を介してサーバ１に、リアルタイムに送信（あるいは、パケットにて順次送信）するよう制御する。尚、送受信する画像は記憶部Ａ４に蓄積することも可能である。
【００２７】
図３は本発明の一実施例によるサーバの構成を示すブロック図である。図３には画像の配信を行う図１のサーバ１の構成を示している。図３において、サーバ１は制御部１１と、通信制御部１２と、画像入力部１３と、認証データベース（ＤＢ）１７とから構成されている。
【００２８】
制御部１１は認証部１４と、画像受信制御部１５と、画像送信制御部１６とから構成され、通信制御部１２で受信するカメラ付き携帯電話機Ａ〜Ｎからの画像と、画像入力部１３を通して入力される固定設置式カメラ２１，２２からの画像とを通信制御部１２を通してカメラ付き携帯電話機Ａ〜Ｎに配信する。
【００２９】
認証部１４はカメラ付き携帯電話機Ａ〜Ｎがネットワーク１００を介して接続される際に、認証データベース１７の蓄積内容を基にカメラ付き携帯電話機Ａ〜Ｎの利用者の認証を行う。
【００３０】
画像受信制御部１５は固定設置式カメラ２１，２２及びカメラ付き携帯電話機Ａ〜Ｎからそれぞれ画像を取込み、どのカメラから画像を受信しているかを管理する。画像送信制御部１６は画像受信制御部１５で管理する受信画像をカメラ付き携帯電話機Ａ〜Ｎからの要求に応じて切替えてカメラ付き携帯電話機Ａ〜Ｎに配信する。
【００３１】
図４は本発明の一実施例による画像配信システムの動作を示すシーケンスチャートである。これら図１〜図４を参照して本発明の一実施例による画像配信システムの動作について説明する。尚、以下の説明ではカメラ付き携帯電話機Ａが画像を提供するとともにサーバ１から配信される画像を受信し、カメラ付き携帯電話機Ｂが画像の提供のみを行っているものとする。但し、本発明は以下の動作のみに限定されるものではない。
【００３２】
サーバ１には固定設置式カメラ２１，２２で撮影される画像（映像）がリアルタイムに送信されてくる（図４のａ１，ａ２）。また、サーバ１はカメラ付き携帯電話機Ｂから発呼され（図４のａ３）、暗証番号が送られてくると（図４のａ４）、その暗証番号を基に認証部１４にてカメラ付き携帯電話機Ｂの認証を行う（図４のａ５）。
【００３３】
サーバ１は認証部１４にてカメラ付き携帯電話機Ｂを認証すると、提供可能な画像一覧（この場合には、まだ固定設置式カメラ２１，２２からの画像のみ）をカメラ付き携帯電話機Ｂに送る（図４のａ６）。カメラ付き携帯電話機Ｂの利用者は画像を閲覧する意思がないため、撮影した画像のみをサーバ１に送信する（図４のａ７）。
【００３４】
一方、サーバ１はカメラ付き携帯電話機Ａから発呼され（図４のａ８）、暗証番号が送られてくると（図４のａ９）、その暗証番号を基に認証部１４にてカメラ付き携帯電話機Ａの認証を行う（図４のａ１０）。
【００３５】
サーバ１は認証部１４にてカメラ付き携帯電話機Ａを認証すると、提供可能な画像一覧（この場合には、固定設置式カメラ２１，２２からの画像及びカメラ付き携帯電話機Ｂからの画像）をカメラ付き携帯電話機Ａに送る（図４のａ１１）。カメラ付き携帯電話機Ａは撮影した画像をサーバ１に送信するとともに（図４のａ１２）、画像一覧の中から選択した画像を特定するための選択情報をサーバ１に送信する（図４のａ１３）。
【００３６】
サーバ１の画像送信制御部１６は画像受信制御部１５で管理している画像の中から、カメラ付き携帯電話機Ａからの選択情報に基づいて一つの画像（見ることができれば２つ以上の画像でも構わない）を選択し、その選択画像をカメラ付き携帯電話機Ａに配信する（図４のａ１４，ａ１５）。尚、上記の処理動作はカメラ付き携帯電話機Ａから接続解除を受信するまで（図４のａ１６）、繰返し実行される。
【００３７】
このように、本実施例では、カメラ付き携帯電話機Ａにおいて、固定設置式カメラ２１，２２からの画像以外にも、カメラ付き携帯電話機Ｂからの画像も表示可能となるため、コンサート会場や競技場等の会場内での撮影において死角をなくすことができ、会場内の一体感を高めることができる。
【００３８】
よって、本実施例では個人差のある見たい情報に個々に対応することができ、観客側が発信者として参加することができる。尚、上記の説明ではカメラ付き携帯電話機Ａ，Ｂから画像を送信し、カメラ付き携帯電話機Ａが画像の選択表示を行う場合について説明したが、カメラ付き携帯電話機Ｂが画像の選択表示を行う場合も、また他のカメラ付き携帯電話機Ｃ〜Ｎが画像の送信と選択表示とを行う場合も上記と同様に行うことができる。
【実施例２】
【００３９】
図５は本発明の他の実施例によるサーバの構成を示すブロック図である。図５において、本発明の他の実施例によるサーバは制御部１１の代わりに、課金部３２を備えかつ課金データベース（ＤＢ）３３に接続される制御部３１を設けた以外は図３に示す本発明の一実施例によるサーバ１と同様の構成となっており、同一構成要素には同一符号を付してある。また、同一構成要素の動作は本発明の一実施例と同様である。
【００４０】
サーバ３の制御部３１は上記の制御部１１と同様の制御を行う他に、課金部３２によって画像配信のサービスを提供した利用者に対する課金処理を行う。その際、課金部３２は課金データベース３３を用いて利用者に対する課金処理を行う。
【００４１】
図６は本発明の他の実施例による画像配信システムの動作を示すシーケンスチャートである。これら図１と図５と図６とを参照して本発明の他の実施例による画像配信システムの動作について説明する。尚、以下の説明ではカメラ付き携帯電話機Ａが画像を提供するとともにサーバ３から配信される画像を受信し、カメラ付き携帯電話機Ｂが画像の提供のみを行っているものとする。但し、本発明は以下の動作のみに限定されるものではない。
【００４２】
サーバ３には固定設置式カメラ２１，２２で撮影される画像（映像）がリアルタイムに送信されてくる（図６のｂ１，ｂ２）。また、サーバ３はカメラ付き携帯電話機Ｂから発呼され（図６のｂ３）、暗証番号及び座席番号が送られてくると（図６のｂ４）、それらの暗証番号及び座席番号を基に認証部１４にてカメラ付き携帯電話機Ｂの認証を行う（図６のｂ５）。
【００４３】
サーバ３は認証部１４にてカメラ付き携帯電話機Ｂを認証すると、提供可能な画像一覧（この場合には、まだ固定設置式カメラ２１，２２からの画像のみ）をカメラ付き携帯電話機Ｂに送る（図６のｂ６）。カメラ付き携帯電話機Ｂの利用者は画像を閲覧する意思がないため、撮影した画像のみをサーバ３に送信する（図６のｂ７）。
【００４４】
一方、サーバ３はカメラ付き携帯電話機Ａから発呼され（図６のｂ８）、暗証番号及び座席番号が送られてくると（図６のｂ９）、それらの暗証番号及び座席番号を基に認証部１４にてカメラ付き携帯電話機Ａの認証を行う（図６のｂ１０）。
【００４５】
サーバ３は認証部１４にてカメラ付き携帯電話機Ａを認証すると、提供可能な画像一覧（この場合には、固定設置式カメラ２１，２２からの画像及びカメラ付き携帯電話機Ｂからの画像）をカメラ付き携帯電話機Ａに送る（図６のｂ１１）。カメラ付き携帯電話機Ａは撮影した画像をサーバ３に送信するとともに（図６のｂ１２）、画像一覧の中から選択した画像を特定するための選択情報をサーバ３に送信する（図６のｂ１３）。
【００４６】
サーバ３の画像送信制御部１６は画像受信制御部１５で管理している画像の中から、先に送られてきた座席番号及びカメラ付き携帯電話機Ａからの選択情報に基づいて一つの画像（見ることができれば２つ以上の画像でも構わない）を選択し、その選択画像をカメラ付き携帯電話機Ａに配信する（図６のｂ１４，ｂ１５）。
【００４７】
上記の処理動作はカメラ付き携帯電話機Ａから接続解除及び座席番号を受信するまで（図６のｂ１６）、繰返し実行される。ここで、サーバ３の課金制御部３２は上記の動作でカメラ付き携帯電話機Ａの利用者に提供したサービス内容（サービスの種類及び時間等）を課金データベース３３に逐次蓄積していく。
【００４８】
また、カメラ付き携帯電話機Ａから接続解除及び座席番号を受信すると、サーバ３の課金制御部３２はカメラ付き携帯電話機Ａから送られてきた座席番号を基に、課金データベース３３の蓄積内容から課金情報を生成してカメラ付き携帯電話機Ａのオペレータ業者に請求する課金処理を行う（図６のｂ１７）。
【００４９】
これによって、本実施例による画像共有サービスの利用料金をカメラ付き携帯電話機Ａのオペレータ業者が代行徴収することができる。したがって、本サービスを利用する場合、カメラ付き携帯電話機Ａの利用者による事前申し込みが不要となる。尚、この課金処理は他のカメラ付き携帯電話機Ｂ〜Ｎの利用者にも適用可能である。
【００５０】
上記のように、カメラ付き携帯電話機Ａ，Ｂがネットワーク１００に接続する時に、サーバ１に座席番号を送ることで、画像受信制御部１５及び画像送信制御部１６はカメラ付き携帯電話機Ａ，Ｂをシートエリア毎にグループ分けすることができ、各画像もアングルのグループ分けを行うことができるとともに、撮影画像に画像アングルデータを付加することが可能となる。尚、この画像処理は他のカメラ付き携帯電話機Ｃ〜Ｎにも適用可能である。
【００５１】
また、本発明では、上記のように、暗証番号や座席番号にて認証を行っているが、提供される画像を固定設置式カメラ２１，２２からの画像のみとし、入場時に前払いとすることで、暗証番号や座席番号等を不要とすることもできる。
【産業上の利用可能性】
【００５２】
上記の説明では携帯電話機について述べたが、カメラと、画像をリアルタイムに送受信（あるいは、パケットにて順次送受信）する機能とを備えていれば、他の携帯端末［例えば、ＰＤＡ（Ｐｅｒｓｏｎａｉ  Ｄｉｇｉｔａｌ  Ａｓｓｉｓｔａｎｔ）等］にも適用可能である。
【００５３】
また、上記の説明ではネットワーク１００が携帯電話回線網について述べたが、サーバを携帯電話回線網に接続するのではなく、サーバをインタネット等に接続して利用することも、固定設置式カメラをインタネット等に接続して画像をサーバに提供することも可能である。
【図面の簡単な説明】
【００５４】
【図１】本発明の実施の形態による画像配信システムの構成を示すブロック図である。
【図２】本発明の一実施例による携帯電話機の構成を示すブロック図である。
【図３】本発明の一実施例によるサーバの構成を示すブロック図である。
【図４】本発明の一実施例による画像配信システムの動作を示すシーケンスチャートである。
【図５】本発明の他の実施例によるサーバの構成を示すブロック図である。
【図６】は本発明の他の実施例による画像配信システムの動作を示すシーケンスチャートである。
【符号の説明】
【００５５】
１，３  サーバ
１１，３１  制御部
１２  通信制御部
１３  画像入力部
１４  認証部
１５  画像受信制御部
１６  画像送信制御部
１７  認証データベース
２１，２２  固定設置式カメラ
３２  課金制御部
３３  課金データベース
Ａ〜Ｎ  カメラ付き携帯電話機
Ａ１  アンテナ
Ａ２  無線制御部
Ａ３  制御部
Ａ４  記憶部
Ａ５  操作部
Ａ６  表示部
Ａ７  スピーカ
Ａ８  撮像素子
Ａ９  記録媒体
１００  ネットワーク
【図１】
2005039564.tif 000003
【図２】
2005039564.tif 000004
【図３】
2005039564.tif 000005
【図４】
2005039564.tif 000006
【図５】
2005039564.tif 000007
【図６】
2005039564.tif 000008